【手続補正書】
【提出日】平成16年2月20日(2004.2.20)
【手続補正１】
【補正対象書類名】明細書
【補正対象項目名】発明の名称
【補正方法】変更
【補正の内容】
【発明の名称】デジタル信号の位相比較方法、位相比較器、ＰＬＬ回路、データ復調回路、及び、データ読み出し装置


【手続補正２】
【補正対象書類名】明細書
【補正対象項目名】特許請求の範囲
【補正方法】変更
【補正の内容】
【特許請求の範囲】
【請求項１】
第１のデジタル信号の立上がり又は立下がりを検出し、第２のデジタル信号に対応した前記第１のデジタル信号の立上がり又は立下がりを検出した時に、前記第１のデジタル信号が前記第２のデジタル信号と同期することを示す同期信号を生成し、
前記第１のデジタル信号と前記同期信号との位相差を検出して位相差検出信号を生成し、
前記位相差検出信号と前記第２のデジタル信号とを使用して、前記第２のデジタル信号が前記第１のデジタル信号よりも遅れているか否か判定し、
前記第２のデジタル信号が前記第１のデジタル信号よりも遅延しているときは第１の比較信号を生成し、
前記第２のデジタル信号よりも周波数が高い第３のデジタル信号と前記位相差信号とを使用して、前記第２のデジタル信号が前記第１のデジタル信号よりも早いか否か判定し、
前記第２のデジタル信号が前記第１のデジタル信号よりも早いときは第２の比較信号を生成すること
を特徴とするデジタル信号の位相比較方法。
【請求項２】
第１のデジタル信号の立ち上がり又は立ち下がりを検出し、
第２のデジタル信号に対応した前記第１のデジタル信号の立ち上がり又は立ち下がりを検出した時に、前記第１のデジタル信号が前記第２のデジタル信号と同期することを示す第１同期信号を生成し、
前記第１同期信号に遅延する第２同期信号を生成し、
前記第２同期信号に遅延する第３同期信号を生成し、
前記第１のデジタル信号と前記第１同期信号との位相差を検出して第１位相差検出信号を生成し、
前記第２のデジタル信号と第３のデジタル信号との位相差を示す第２位相差検出信号を生成し、
前記第２のデジタル信号と前記第３のデジタル信号と前記第１位相差検出信号とを使用して前記第１のデジタル信号と前記第２のデジタル信号との間の偏差を決定し、
前記第２のデジタル信号が前記第１のデジタル信号よりも遅延しているときは第１の比較信号を生成し、
前記第２のデジタル信号が前記第１のデジタル信号よりも早いときは前記第２位相差検出信号に対応する第２の比較信号を生成すること
を特徴とするデジタル信号の位相比較方法。
【請求項３】
第１のデジタル信号と第２のデジタル信号との位相差を検出して位相差検出信号を生成し、
前記第２のデジタル信号と前記位相差検出信号とを使用して、前記第１のデジタル信号と前記第２のデジタル信号との間の偏差を決定し、
前記第２のデジタル信号が前記第１のデジタル信号よりも遅延しているときは第１の比較信号を生成し、
前記第２のデジタル信号が前記第１のデジタル信号よりも早いときは第２の比較信号を生成すること
を特徴とするデジタル信号の位相比較方法。
【請求項４】
前記第２のデジタル信号の周波数は前記第１のデジタル信号の周波数よりも高いこと
を特徴とする請求項１、請求項２又は請求項３に記載のデジタル信号の位相比較方法。
【請求項５】
第１のデジタル信号の立ち上がり又は立ち下がりを検出する検出回路と、
第２のデジタル信号に対応した第１のデジタル信号の立ち上がり又は立ち下がりを検出した時に、第１のデジタル信号が第２のデジタル信号と同期することを示す同期信号を生成する同期回路と、
前記第１のデジタル信号と前記同期信号との位相差を検出して位相差検出信号を生成する位相差検出回路と、
前記第２のデジタル信号と前記位相差検出信号とを使用して、前記第２のデジタル信号が前記第１のデジタル信号よりも遅れているか否かを判定し、前記第２のデジタル信号が前記第１のデジタル信号よりも遅延しているときは第１の比較信号を生成する第１判定回路と、
前記第２のデジタル信号よりも周波数が高い第３のデジタル信号と前記位相差検出信号とを使用して、前記第２のデジタル信号が前記第１のデジタル信号よりも早いか否かを判定し、前記第２のデジタル信号が前記第１のデジタル信号よりも早いときは第２の比較信号を生成する第２判定回路と、
を備えることを特徴とする位相比較器。
【請求項６】
第１のデジタル信号の立ち上がり又は立ち下がりを検出する検出回路と、
第２のデジタル信号に対応した第１のデジタル信号の立ち上がり又は立ち下がりを検出した時に、第１のデジタル信号が第２のデジタル信号と同期することを示す第１同期信号を生成し、前記第１同期信号に遅延する第２同期信号を生成し、前記第２同期信号に遅延する第３同期信号を生成する同期回路と、
前記第１のデジタル信号と前記第１同期信号との位相差を検出して第１位相差検出信号を生成し、前記第２のデジタル信号と第３のデジタル信号との位相差を示す第２位相差検出信号を生成する位相差検出回路と、
前記第２のデジタル信号と前記第３のデジタル信号と前記第１位相差検出信号とを使用して該第１のデジタル信号と前記第２のデジタル信号との間の偏差を決定し、前記第２のデジタル信号が前記第１のデジタル信号よりも遅延しているときは第１の比較信号を生成し、前記第２のデジタル信号が前記第１のデジタル信号よりも早いときは前記第２位相差検出信号に対応する第２の比較信号を生成する位相差演算回路と、
を備えることを特徴とする位相比較器。
【請求項７】
第１のデジタル信号と第２のデジタル信号との位相差を検出して位相差検出信号を生成する位相差検出回路と、
前記第２のデジタル信号と前記位相差検出信号とを使用して、前記第１のデジタル信号と前記第２のデジタル信号との間の偏差を決定し、前記第２のデジタル信号が前記第１のデジタル信号よりも遅延しているときは第１の比較信号を生成し、前記第２のデジタル信号が前記第１のデジタル信号よりも早いときは第２の比較信号を生成する判定回路と、
を備えることを特徴とする位相比較器。
【請求項８】
前記第２のデジタル信号の周波数は前記第１のデジタル信号の周波数よりも高いこと
を特徴とする請求項５、請求項６又は請求項７に記載の位相比較器。
【請求項９】
請求項５乃至８のいずれか１に記載の位相比較器を備えたＰＬＬ回路。
【請求項１０】
請求項９に記載のＰＬＬ回路を備えたデータ復調回路。
【請求項１１】
請求項１０に記載のデータ復調回路を備えたデータ読み出し装置。
【請求項１２】
請求項１１に記載のデータ読み出し装置において、
データ読み出し装置は記録媒体を一定の回転速度で回転駆動させてピックアップ装置にて該記録媒体の格納データを読み出すものであるデータ読み出し装置。
【手続補正３】
【補正対象書類名】明細書
【補正対象項目名】０００１
【補正方法】変更
【補正の内容】
【０００１】
【発明の属する技術分野】
本発明は、デジタル信号の位相比較方法、位相比較器、ＰＬＬ回路、データ復調回路、及び、データ読み出し装置に関するものである。


【手続補正４】
【補正対象書類名】明細書
【補正対象項目名】００４１
【補正方法】変更
【補正の内容】
【００４１】
本発明の第１の目的は、第１のデジタル信号の立上がり及び立下がりに対して第２のデジタル信号の位相が遅れているか早いかを判定することができるデジタル信号の位相比較方法を提供することにある。


【手続補正５】
【補正対象書類名】明細書
【補正対象項目名】００４２
【補正方法】削除
【補正の内容】
【手続補正６】
【補正対象書類名】明細書
【補正対象項目名】００４３
【補正方法】削除
【補正の内容】
【手続補正７】
【補正対象書類名】明細書
【補正対象項目名】００４４
【補正方法】変更
【補正の内容】
【００４４】
本発明の第２の目的は、第１のデジタル信号の立上がり及び立下がりに対して位相比較を行うことができるとともに、位相が揃っている場合にはチャージポンプ等のＰＬＬ回路に含まれる各構成回路を安定な状態に保持し安定したロック状態を保持することができる位相比較器を提供することにある。


【手続補正８】
【補正対象書類名】明細書
【補正対象項目名】００４５
【補正方法】変更
【補正の内容】
【００４５】
本発明の第３の目的は、第１のデジタル信号の立上がり及び立下がりに対して第２のデジタル信号を位相を揃えることができるとともに、位相が揃っている場合には、各構成回路を安定な状態に保持し安定したロック状態を保持することができるＰＬＬ回路を提供することにある。


【手続補正９】
【補正対象書類名】明細書
【補正対象項目名】００４６
【補正方法】変更
【補正の内容】
【００４６】
本発明の第４の目的は、２値化されたデジタル読み出し信号の立上がり及び立下がりに対して再生クロックの位相を揃えることができ、そのデジタル読み出し信号を確実に復調することができるデータ復調回路を提供することにある。


【手続補正１０】
【補正対象書類名】明細書
【補正対象項目名】００４７
【補正方法】変更
【補正の内容】
【００４７】
本発明の第５の目的は、ピックアップ装置にて読み出され出力される周波数が変化する２値化されたデジタル読み出し信号を復調することができるデータ読み出し装置を提供することにある。


【手続補正１１】
【補正対象書類名】明細書
【補正対象項目名】００４８
【補正方法】変更
【補正の内容】
【００４８】
本発明の第６の目的は、記録媒体の駆動方式が相違する方式に対応して該記録媒体に記録された格納データを復調することができるデータ読み出し装置を提供することにある。


【手続補正１２】
【補正対象書類名】明細書
【補正対象項目名】００４９
【補正方法】変更
【補正の内容】
【００４９】
【課題を解決するための手段】
請求項１に記載の発明は、第１のデジタル信号の立上がり又は立下がりを検出し、第２のデジタル信号に対応した前記第１のデジタル信号の立上がり又は立下がりを検出した時に、前記第１のデジタル信号が前記第２のデジタル信号と同期することを示す同期信号を生成し、前記第１のデジタル信号と前記同期信号との位相差を検出して位相差検出信号を生成し、前記位相差検出信号と前記第２のデジタル信号とを使用して、前記第２のデジタル信号が前記第１のデジタル信号よりも遅れているか否か判定し、前記第２のデジタル信号が前記第１のデジタル信号よりも遅延しているときは第１の比較信号を生成し、前記第２のデジタル信号よりも周波数が高い第３のデジタル信号と前記位相差信号とを使用して、前記第２のデジタル信号が前記第１のデジタル信号よりも早いか否か判定し、前記第２のデジタル信号が前記第１のデジタル信号よりも早いときは第２の比較信号を生成することをその要旨とする。


【手続補正１３】
【補正対象書類名】明細書
【補正対象項目名】００５０
【補正方法】変更
【補正の内容】
【００５０】
請求項２に記載の発明は、第１のデジタル信号の立ち上がり又は立ち下がりを検出し、第２のデジタル信号に対応した前記第１のデジタル信号の立ち上がり又は立ち下がりを検出した時に、前記第１のデジタル信号が前記第２のデジタル信号と同期することを示す第１同期信号を生成し、前記第１同期信号に遅延する第２同期信号を生成し、前記第２同期信号に遅延する第３同期信号を生成し、前記第１のデジタル信号と前記第１同期信号との位相差を検出して第１位相差検出信号を生成し、前記第２のデジタル信号と第３のデジタル信号との位相差を示す第２位相差検出信号を生成し、前記第２のデジタル信号と前記第３のデジタル信号と前記第１位相差検出信号とを使用して前記第１のデジタル信号と前記第２のデジタル信号との間の偏差を決定し、前記第２のデジタル信号が前記第１のデジタル信号よりも遅延しているときは第１の比較信号を生成し、前記第２のデジタル信号が前記第１のデジタル信号よりも早いときは前記第２位相差検出信号に対応する第２の比較信号を生成することをその要旨とする。


【手続補正１４】
【補正対象書類名】明細書
【補正対象項目名】００５１
【補正方法】変更
【補正の内容】
【００５１】
請求項３に記載の発明は、第１のデジタル信号と第２のデジタル信号との位相差を検出して位相差検出信号を生成し、前記第２のデジタル信号と前記位相差検出信号とを使用して、前記第１のデジタル信号と前記第２のデジタル信号との間の偏差を決定し、前記第２のデジタル信号が前記第１のデジタル信号よりも遅延しているときは第１の比較信号を生成し、前記第２のデジタル信号が前記第１のデジタル信号よりも早いときは第２の比較信号を生成することをその要旨とする。


【手続補正１５】
【補正対象書類名】明細書
【補正対象項目名】００５２
【補正方法】変更
【補正の内容】
【００５２】
請求項４に記載の発明は、請求項１、請求項２又は請求項３に記載のデジタル信号の位相比較方法において、前記第２のデジタル信号の周波数は前記第１のデジタル信号の周波数よりも高いことをその要旨とする。


【手続補正１６】
【補正対象書類名】明細書
【補正対象項目名】００５３
【補正方法】変更
【補正の内容】
【００５３】
請求項５に記載の発明は、第１のデジタル信号の立ち上がり又は立ち下がりを検出する検出回路と、第２のデジタル信号に対応した前記第１のデジタル信号の立ち上がり又は立ち下がりを検出した時に、前記第１のデジタル信号が前記第２のデジタル信号と同期することを示す同期信号を生成する同期回路と、前記第１のデジタル信号と前記同期信号との位相差を検出して位相差検出信号を生成する位相差検出回路と、前記第２のデジタル信号と前記位相差検出信号とを使用して、前記第２のデジタル信号が前記第１のデジタル信号よりも遅れているか否かを判定し、前記第２のデジタル信号が前記第１のデジタル信号よりも遅延しているときは第１の比較信号を生成する第１判定回路と、前記第２のデジタル信号よりも周波数が高い第３のデジタル信号と前記位相差検出信号とを使用して、前記第２のデジタル信号が前記第１のデジタル信号よりも早いか否かを判定し、前記第２のデジタル信号が前記第１のデジタル信号よりも早いときは第２の比較信号を生成する第２判定回路と、を備えることをその要旨とする。


【手続補正１７】
【補正対象書類名】明細書
【補正対象項目名】００５４
【補正方法】変更
【補正の内容】
【００５４】
請求項６に記載の発明は、第１のデジタル信号の立ち上がり又は立ち下がりを検出する検出回路と、第２のデジタル信号に対応した前記第１のデジタル信号の立ち上がり又は立ち下がりを検出した時に、前記第１のデジタル信号が前記第２のデジタル信号と同期することを示す第１同期信号を生成し、前記第１同期信号に遅延する第２同期信号を生成し、前記第２同期信号に遅延する第３同期信号を生成する同期回路と、前記第１のデジタル信号と前記第１同期信号との位相差を検出して第１位相差検出信号を生成し、前記第２のデジタル信号と第３のデジタル信号との位相差を示す第２位相差検出信号を生成する位相差検出回路と、前記第２のデジタル信号と前記第３のデジタル信号と前記第１位相差検出信号とを使用して該第１のデジタル信号と前記第２のデジタル信号との間の偏差を決定し、前記第２のデジタル信号が前記第１のデジタル信号よりも遅延しているときは第１の比較信号を生成し、前記第２のデジタル信号が前記第１のデジタル信号よりも早いときは前記第２位相差検出信号に対応する第２の比較信号を生成する位相差演算回路と、を備えることをその要旨とする。


【手続補正１８】
【補正対象書類名】明細書
【補正対象項目名】００５５
【補正方法】変更
【補正の内容】
【００５５】
請求項７に記載の発明は、第１のデジタル信号と第２のデジタル信号との位相差を検出して位相差検出信号を生成する検出回路と、前記第２のデジタル信号と前記位相差検出信号とを使用して、前記第１のデジタル信号と前記第２のデジタル信号との間の偏差を決定し、前記第２のデジタル信号が前記第１のデジタル信号よりも遅延しているときは第１の比較信号を生成し、前記第２のデジタル信号が前記第１のデジタル信号よりも早いときは第２の比較信号を生成する判定回路と、を備えることをその要旨とする。
請求項８に記載の発明は、請求項５、請求項６又は請求項７に記載の位相比較器において、第２のデジタル信号の周波数は前記第ｌのデジタル信号の周波数よりも高いことをその要旨とする。
請求項９に記載の発明は、請求項５乃至８のいずれか１に記載の位相比較器を備えたＰＬＬ回路。
請求項１０に記載の発明は、請求項９に記載のＰＬＬ回路を備えたデータ復調回路。


【手続補正１９】
【補正対象書類名】明細書
【補正対象項目名】００５６
【補正方法】変更
【補正の内容】
【００５６】
請求項１１に記載の発明は、請求項１０に記載のデータ復調回路を備えたデータ読み出し装置。
請求項１２に記載の発明は、請求項９に記載のデータ読み出し装置において、データ読み出し装置は記録媒体を一定の回転速度で回転駆動させてピックアップ装置にて該記録媒体の格納データを読み出すものである。


【手続補正２０】
【補正対象書類名】明細書
【補正対象項目名】００５７
【補正方法】変更
【補正の内容】
【００５７】
（作用）
請求項１に記載の発明によれば、同期信号は第２のデジタル信号に対応した第１のデジタル信号の立上がり又は立下がりを検出した時に発生する。従って、同期信号の発生タイミングは、前記検出タイミングと第１のデジタル信号の立上がり又は立下がりの位相に対応して相違する。その発生タイミングの相違する同期信号と、第１のデジタル信号の立上がり又は立下がりからその同期信号が発生するまでの時間は、第１のデジタル信号と第２のデジタル信号との位相差となる。そして、第１のデジタル信号の立上がり又は立下がりからその同期信号が発生するまでの間だけ出力する位相差検出信号を生成する。


【手続補正２１】
【補正対象書類名】明細書
【補正対象項目名】００５８
【補正方法】変更
【補正の内容】
【００５８】
前記位相差検出信号の出力時間を第２のデジタル信号の検出タイミングにて計測することにより、第２のデジタル信号が第１のデジタル信号の立上がり又は立下がりよりどのくらい遅れているかが判定される。
又、前記位相差検出信号の出力時間を前記第２のデジタル信号の周波数より高い周波数の第３のデジタル信号の立上がり又は立下がりにて計測することにより、第２のデジタル信号が第１のデジタル信号の立上がり又は立下がりより早いことが判定される。


【手続補正２２】
【補正対象書類名】明細書
【補正対象項目名】００５９
【補正方法】変更
【補正の内容】
【００５９】
請求項２に記載の発明によれば、第１同期信号は請求項１に記載の同期信号と同様に第２のデジタル信号に対応した第１のデジタル信号の立上がり又は立下がりを検出した時に発生する。第２同期信号は第１同期信号に対して遅れて出力される。第３同期信号は第２同期信号に対して遅れて出力される。
【手続補正２３】
【補正対象書類名】明細書
【補正対象項目名】００６０
【補正方法】変更
【補正の内容】
【００６０】
第１位相差検出信号は第１のデジタル信号と第１同期信号の位相差が検出されて生成される。第２位相差検出信号は第２のデジタル信号と第３のデジタル信号の位相差を示す。
第２のデジタル信号と第３のデジタル信号と第１の位相差検出信号とが使用されて第１のデジタル信号と第２のデジタル信号との間の偏差が決定される。そして、第２のデジタル信号が第１のデジタル信号よりも遅延しているときは第１の比較信号が生成され、第２のデジタル信号が第１のデジタル信号よりも早いときは、第２位相差検出信号に対応する第２の比較信号が生成される。
【手続補正２４】
【補正対象書類名】明細書
【補正対象項目名】００６１
【補正方法】変更
【補正の内容】
【００６１】
請求項３に記載の発明によれば、第１及び第２のデジタル信号の位相差が検出されて位相差検出信号が生成される。第２のデジタル信号と位相差検出信号とが使用されて第１のデジタル信号と第２のデジタル信号との間の偏差が決定される。そして、第２のデジタル信号が第１のデジタル信号よりも遅延しているときは第１の比較信号が生成され、第２のデジタル信号が第１のデジタル信号よりも早いときは、第２位相差検出信号に対応する第２の比較信号が生成される。
【手続補正２５】
【補正対象書類名】明細書
【補正対象項目名】００６２
【補正方法】変更
【補正の内容】
【００６２】
請求項４に記載の発明によれば、第１比較信号と第２比較信号は、第１のデジタル信号の周波数よりも高い第２のデジタル信号を用いて生成される。
【手続補正２６】
【補正対象書類名】明細書
【補正対象項目名】００６３
【補正方法】変更
【補正の内容】
【００６３】
請求項５に記載の発明によれば、同期回路は、検出回路の検出結果に基づき、第２のデジタル信号に対応した第１のデジタル信号の立上がり又は立下がりを検出した時に同期信号を生成する。従って、同期信号の発生タイミングは、前記検出タイミングと第１のデジタル信号の立上がり又は立下がりの位相に対応して相違する。その発生タイミングの相違する同期信号と、第１のデジタル信号の立上がり又は立下がりからその同期信号が発生するまでの時間は、第１のデジタル信号と第２のデジタル信号との位相差となる。そして、位相差検出回路は、第１のデジタル信号の立上がり又は立下がりからその同期信号が発生するまでの間だけ出力する位相差検出信号を生成する。
【手続補正２７】
【補正対象書類名】明細書
【補正対象項目名】００６４
【補正方法】変更
【補正の内容】
【００６４】
第２のデジタル信号と位相差検出信号とを使用する第１判定回路により、第２のデジタル信号が第１のデジタル信号よりも遅れているか否かが判定され、第２のデジタル信号が遅れている場合には第１の比較信号が出力される。
【手続補正２８】
【補正対象書類名】明細書
【補正対象項目名】００６５
【補正方法】変更
【補正の内容】
【００６５】
第２のデジタル信号より周波数の高い第２のデジタル信号と位相差検出信号とを使用する第２判定回路により、第２のデジタル信号が第１のデジタル信号よりも遅れているか否かが判定され、第２のデジタル信号が早い場合には第２の比較信号が出力される。
【手続補正２９】
【補正対象書類名】明細書
【補正対象項目名】００６６
【補正方法】変更
【補正の内容】
【００６６】
請求項６に記載の発明によれば、同期回路は、検出回路の検出結果に基づき、第２のデジタル信号に対応した第１のデジタル信号の立上がり又は立下がりを検出した時に第１同期信号を生成する。更に、同期回路は、第１同期信号に遅延する第２の同期信号と、第２の同期信号に遅延する第３同期信号を生成する。
【手続補正３０】
【補正対象書類名】明細書
【補正対象項目名】００６７
【補正方法】変更
【補正の内容】
【００６７】
位相差検出回路は、第１のデジタル信号と第１の同期信号との位相差を検出した第１位相差検出信号を生成し、第２のデジタル信号と第３のデジタル信号の位相差を示す第２位相差検出信号を生成する。
【手続補正３１】
【補正対象書類名】明細書
【補正対象項目名】００６８
【補正方法】変更
【補正の内容】
【００６８】
位相差演算回路は、第２のデジタル信号と第３のデジタル信号と第１の位相差検出信号とを使用して該第１のデジタル信号と第２のデジタル信号との間の偏差を決定し、第２のデジタル信号が第１のデジタル信号よりも遅延しているときは第１の比較信号を生成し、第２のデジタル信号が第１のデジタル信号よりも早いときは前記第２の位相差検出信号に対応する第２の比較信号を生成する。
【手続補正３２】
【補正対象書類名】明細書
【補正対象項目名】００６９
【補正方法】変更
【補正の内容】
【００６９】
請求項７に記載の発明によれば、検出回路により第１のデジタル信号と前記第２のデジタル信号との位相差が検出されて位相差検出信号が生成される。そして、判定回路により、前記第２のデジタル信号と前記位相差検出信号とが使用され、前記第１のデジタル信号と前記第２のデジタル信号との間の偏差が決定され、前記第２のデジタル信号が前記第１のデジタル信号よりも遅延しているときは第１の比較信号が生成され、前記第２のデジタル信号が前記第１のデジタル信号よりも早いときは第２の比較信号が生成される。
【手続補正３３】
【補正対象書類名】明細書
【補正対象項目名】００７０
【補正方法】変更
【補正の内容】
【００７０】
請求項８に記載の発明によれば、第１比較信号と第２比較信号は、第１のデジタル信号の周波数よりも高い第２のデジタル信号を用いて生成される。
【手続補正３４】
【補正対象書類名】明細書
【補正対象項目名】００７１
【補正方法】変更
【補正の内容】
【００７１】
請求項９に記載の発明によれば、ＰＬＬ回路は、周波数が変化する第１のデジタル信号の立上がり及び立下がりに対して第２のデジタル信号を位相を揃えることができるとともに、位相が揃っている場合には、各構成回路を安定な状態に保持し安定したロック状態を保持することができる位相比較器に基づいて動作される。


【手続補正３５】
【補正対象書類名】明細書
【補正対象項目名】００７２
【補正方法】変更
【補正の内容】
【００７２】
請求項１０に記載の発明によれば、データ復調回路は周波数が変化する２値化されたデジタル読み出し信号の立上がり及び立下がりに対して再生クロックの位相を揃えることができるＰＬＬ回路の該再生クロックにより、そのデジタル読み出し信号を確実に復調することができる。


【手続補正３６】
【補正対象書類名】明細書
【補正対象項目名】００７３
【補正方法】変更
【補正の内容】
【００７３】
請求項１１に記載の発明によれば、データ読み出し装置は、ピックアップ装置にて読み出され出力される２値化されたデジタル読み出し信号の周波数が変化しても、その周波数の変化に対応した再生クロックを生成してデータ復調回路がそのデジタル読み出し信号を復調する。


【手続補正３７】
【補正対象書類名】明細書
【補正対象項目名】００７４
【補正方法】変更
【補正の内容】
【００７４】
請求項１２に記載の発明によれば、データ読み出し装置は記録媒体の駆動方式が相違する方式に対応して該記録媒体に記録された格納データを、周波数の変化に対応した再生クロックを生成するデータ復調回路にて復調することができる。


【手続補正３８】
【補正対象書類名】明細書
【補正対象項目名】０２２３
【補正方法】変更
【補正の内容】
【０２２３】
請求項９に記載の発明によれば、周波数が変化する第１のデジタル信号の立上がり及び立下がりに対して第２のデジタル信号を位相を揃えることができるとともに、位相が揃っている場合には、各構成回路を安定な状態に保持し安定したロック状態を保持することができる。


【手続補正３９】
【補正対象書類名】明細書
【補正対象項目名】０２２４
【補正方法】変更
【補正の内容】
【０２２４】
請求項１０に記載の発明によれば、データ復調回路は周波数が変化する２値化されたデジタル読み出し信号の立上がり及び立下がりに対して再生クロックの位相を揃えることができるＰＬＬ回路の該再生クロックにより、そのデジタル読み出し信号を確実に復調することができる。


【手続補正４０】
【補正対象書類名】明細書
【補正対象項目名】０２２５
【補正方法】変更
【補正の内容】
【０２２５】
請求項１１に記載の発明によれば、ピックアップ装置にて読み出され出力される２値化されたデジタル読み出し信号の周波数が変化しても、その周波数の変化に対応した再生クロックを生成してデータ復調回路がそのデジタル読み出し信号を復調することができる。


【手続補正４１】
【補正対象書類名】明細書
【補正対象項目名】０２２６
【補正方法】変更
【補正の内容】
【０２２６】
請求項１２に記載の発明によれば、記録媒体の駆動方式が相違する方式に対応して該記録媒体に記録された格納データを、周波数の変化に対応した再生クロックを生成するデータ復調回路にて復調することができる。


【手続補正４２】
【補正対象書類名】明細書
【補正対象項目名】符号の説明
【補正方法】変更
【補正の内容】
【符号の説明】
１２  記録媒体としての光ディスク
１４  データ復調回路としてのデータ復調装置
１９  ＰＬＬ回路
２２  位相比較器
２６  分周回路
２８  同期回路
２９  位相差検出回路
３０  位相差演算回路
３７  第２判定回路を構成するＤ型フリップフロップ（ＤＦ）
３８  第２判定回路を構成するＪＫ型フリップフロップ（ＪＫＦ）
３９  第１判定回路を構成するナンド回路
４０  第２判定回路を構成するナンド回路
ＣＬＫ  第２のデジタル信号としてのクロック
ＸＣＬＫ  第２のデジタル信号としての反転クロック
ＣＬＫ１  再生クロック
ＣＬＫ２  第２のデジタル信号としての第２クロック
ＸＣＬＫ２  第２反転クロック
ＲＩＮ  基準信号
ＦＩＮ  第３のデジタル信号としての帰還信号
ＳＧ４  第１のデジタル信号としてのＥＦＭ信号
ＸＳＧ１１  同期信号（第１同期信号）としての反転出力信号
ＳＧ１２  第２同期信号としての出力信号
ＳＧ１３  第３同期信号としての出力信号
ＳＧ２１  第１位相差検出信号
ＳＧ２２  第２位相差検出信号
ＳＧ３１  判定信号としての出力信号
ＸＳＧ３２  制御信号としての反転出力信号
ＵＰ  第１の比較信号としてのアップ信号
ＤＮ  第２の比較信号としてのダウン信号